(57)【特許請求の範囲】
【請求項１】
ユーザーに納入する地金のステータス情報及び管理情報を管理する物流管理システムであって、
前記地金のステータス情報及び管理情報を格納するデータベースが接続され、前記データベースへの前記ステータス情報及び前記管理情報の書き込み及び読み出しが可能なサーバと、
前記地金のステータス情報及び管理情報に紐付けられる情報コードが印刷されたラベルを作成するラベルプリンタと、
前記地金に貼付された前記ラベルの前記情報コードを読み取り、前記情報コードに紐付けられる前記地金のステータス情報及び管理情報を発信する情報コードリーダと、
を備え、
前記管理情報には、前記地金の流通単位ごとに付される流通番号が含まれ、
前記ステータス情報には、配送待、配送手配済、在庫、及び消費済のステータス情報が含まれ、
前記配送待とは、前記地金の管理情報が前記データベースに最初に格納された状態であり、
前記配送手配済とは、前記配送待の地金に対して、前記地金を納入するユーザー名及び前記ユーザーへの納入予定日が前記データベースに格納された状態であり、
前記在庫とは、前記配送手配済の地金に対して、前記ユーザーが前記地金の受入確認をしたことが前記データベースに格納された状態であり、
前記消費済とは、前記在庫の地金に対して、前記地金が消費された状態または消費されることが確定したことが前記データベースに格納された状態であり、
前記情報コードリーダは、受領モードまたは消費モードに切り替え可能であり、
前記サーバが、前記情報コードに紐づく前記地金の前記配送待及び前記配送手配済のステータス情報と、前記配送待及び前記配送手配済のステータス情報が前記データベースに格納される日付及び時間とを、通信ネットワークを介して前記データベースに格納すること、並びに
前記サーバが、前記受領モードまたは前記消費モードで前記情報コードリーダに読取られた前記情報コードに紐づく前記地金の前記在庫及び前記消費済のステータス情報と、前記在庫及び前記消費済のステータス情報が前記データベースに格納される日付及び時間とを、通信ネットワークを介して前記データベースに格納すること
を含む物流管理システム。
【請求項２】
前記サーバが、前記データベースに格納された前記地金の前記在庫及び前記消費済のステータス情報と、前記在庫及び消費済のステータス情報が前記データベースに格納された日付及び時間とに基づいて、前記地金の在庫回転期間を集計する、請求項１に記載の物流管理システム。
【請求項３】
前記サーバが、前記データベースに格納された前記地金の前記消費済のステータス情報と、前記消費済のステータス情報が前記データベースに格納された日付及び時間とに基づいて、前記地金の消費サイクルを集計する、請求項１または２に記載の物流管理システム。
【請求項４】
前記管理情報が、前記地金が前記流通単位ごとに検量された検量データ、前記検量データを含む重量証明書、またはそれらの組み合わせをさらに含む、請求項１〜３のいずれか一項に記載の物流管理システム。
【請求項５】
前記サーバが、前記データベースに格納された前記納入予定日と前記検量データとに基づいて、所定の期間に前記ユーザーに納入された前記地金の重量または納入予定の前記地金の重量を集計する、請求項４に記載の物流管理システム。
【請求項６】
前記サーバが、前記データベースに格納された前記消費済のステータス情報と、前記消費済のステータス情報が前記データベースに格納された日付及び時間と、前記検量データとに基づいて、所定の期間に消費された前記地金の重量を集計する、請求項４または５に記載の物流管理システム。
【請求項７】
前記サーバが、前記データベースに格納された前記在庫のステータス情報と、前記在庫のステータス情報が前記データベースに格納された日付及び時間と、前記検量データとに基づいて、所定の日時における前記地金の在庫量を集計する、請求項４〜６のいずれか一項に記載の物流管理システム。
【請求項８】
前記サーバが、前記データベースに格納された前記在庫及び消費済のステータス情報と、前記在庫及び消費済のステータス情報が前記データベースに格納された日付及び時間と、前記検量データとに基づいて、所定の日時における前記地金の消費量に対する所定の日時における前記地金の在庫量の割合を集計する、請求項４〜７のいずれか一項に記載の物流管理システム。
【請求項９】
前記サーバは、前記受領モードまたは前記消費モードで前記情報コードリーダに読取られた前記情報コードに紐づく前記地金の前記配送待及び前記配送手配済のステータス情報と、前記配送待及び前記配送手配済のステータス情報が前記データベースに格納される日付及び時間とを、通信ネットワークを介して前記データベースに格納することを含む、請求項１〜８のいずれか一項に記載の物流管理システム。
【請求項１０】
前記管理情報が、前記地金の鋳造単位に付されるキャスト番号をさらに含む、請求項１〜９のいずれか一項に記載の物流管理システム。
【請求項１１】
前記管理情報が、前記地金の生産工場を表すブランド名をさらに含む、請求項１〜１０のいずれか一項に記載の物流管理システム。
【請求項１２】
前記管理情報が、前記地金の成分組成データをさらに含む、請求項１〜１１のいずれか一項に記載の物流管理システム。
【請求項１３】
前記管理情報が、前記地金の納入明細情報をさらに含む、請求項１〜１２のいずれか一項に記載の物流管理システム。
【請求項１４】
前記情報コードが、１次元コード、２次元コード、またはそれらの組み合わせである、請求項１〜１３のいずれか一項に記載の物流管理システム。
【発明の詳細な説明】
【技術分野】
【０００１】
本発明は、地金の物流管理システムに関する。
【背景技術】
【０００２】
海外の生産工場から出荷され輸入される地金は、港湾に到着後に、一般的に、検量、保管、輸送等を経て、ユーザーに納入される。国内の生産工場から出荷される地金は、一般的に、生産工場から出荷前または出荷後に検量、保管等され、さらに輸送等を経て、ユーザーに納入される。
【０００３】
地金を輸入する際、一般的に、複数かつ多数をまとめた大口で一度の船積で受渡される。地金を国内輸送する際は、一般的に、ジャストインタイム（ＪＩＴ）を代表とする小口かつトラック単位でユーザーに納入される。
【０００４】
そのため、生産工場から出荷される地金がユーザーに納入される間に関与する流通業者は、その物流管理等の各種管理をきめ細かに行う必要があり、作業効率化の取り組みが行われている。
【０００５】
物品の物流管理に関しては、海外等の生産工場からユーザーに納入する物品の納期を短縮し、生産工場からユーザーまでの物流過程における在庫保有に係わるコストを抑制できる物流管理システムが提案されている（特許文献１）。
【０００６】
物品が納入されるユーザー内部においては、オペレーションシステム導入により在庫管理の効率向上の取り組みが行われている。
【先行技術文献】
【特許文献】
【０００７】
【特許文献１】特開２００３−３１２８４７号公報
【発明の概要】
【発明が解決しようとする課題】
【０００８】
しかしながら、地金に付随する管理情報は、従来、物流に関連する各社の担当者が目視で確認及び転記を行っている。すなわち、従来、地金を配送する日時及び数量とともに、関連する管理情報を、紙媒体、電子メール、またはファクシミリを通じて各社間で情報交換し、各社の担当者が目視で確認し、各社がそれぞれ有する独自のオペレーションシステムに入力し、社内管理に用いるとともに、社外宛の媒体を抽出し情報交換として用いている。
【０００９】
そのため、物流に関連する各社間で、各種書類を紙媒体で保存またはスキャンして個別に電子的に保管せざるを得ない状況にあり、物流に関連する各社間をまたがった物流管理の非効率性が問題となっている。
【００１０】
また、地金の納入先であるユーザーにおいては、会社全体を取りまとめる購買部が地金を購入した後、地金を消費するユーザーの工場若しくは工場内のライン、または複数の工場若しくは工場内の複数の生産ラインで、地金の小口/高頻度の納入対応及び在庫管理を、それぞれ独自で行い、効率化を行っているのが現状である。
【００１１】
このように、ユーザーの工場若しくは工場内のライン、または複数の工場若しくは工場内の複数の生産ラインで、それぞれ独自で地金の納入対応及び在庫管理の効率化を行っている状況のため、全社ベースでの一貫した改善が進まない状況に直面している。そのため、ユーザーの会社全体として、現在または過去のある時点の地金の在庫量の把握は人海戦術に頼らざるを得なくなっている。すなわち、ユーザーの工場若しくは工場内のラインにおける在庫管理の非効率性、またはユーザーの複数の工場間または工場内の複数のライン間にまたがった在庫管理の非効率性も問題となっている。
【００１２】
したがって、地金の物流に関連する各社間をまたがった物流管理の非効率性、及び地金納入先のユーザーの工場若しくは工場内のラインにおける在庫管理の非効率性、またはユーザーの複数の工場間または工場内の複数のライン間にまたがった在庫管理の非効率性を解消する物流管理システムが求められている。
【課題を解決するための手段】
【００１３】
（１）ユーザーに納入する地金のステータス情報及び管理情報を管理する物流管理システムであって、
前記地金のステータス情報及び管理情報を格納するデータベースが接続され、前記データベースへの前記ステータス情報及び前記管理情報の書き込み及び読み出しが可能なサーバと、
前記地金のステータス情報及び管理情報に紐付けられる情報コードが印刷されたラベルを作成するラベルプリンタと、
前記地金に貼付された前記ラベルの前記情報コードを読み取り、前記情報コードに紐付けられる前記地金のステータス情報及び管理情報を発信する情報コードリーダと、
を備え、
前記管理情報には、前記地金の流通単位ごとに付される流通番号が含まれ、
前記ステータス情報には、配送待、配送手配済、在庫、及び消費済のステータス情報が含まれ、
前記配送待とは、前記地金の管理情報が前記データベースに最初に格納された状態であり、
前記配送手配済とは、前記配送待の地金に対して、前記地金を納入するユーザー名及び前記ユーザーへの納入予定日が前記データベースに格納された状態であり、
前記在庫とは、前記配送手配済の地金に対して、前記ユーザーが前記地金の受入確認をしたことが前記データベースに格納された状態であり、
前記消費済とは、前記在庫の地金に対して、前記地金が消費された状態または消費されることが確定したことが前記データベースに格納された状態であり、
前記情報コードリーダは、受領モードまたは消費モードに切り替え可能であり、
前記サーバが、前記情報コードに紐づく前記地金の前記配送待及び前記配送手配済のステータス情報と、前記配送待及び前記配送手配済のステータス情報が前記データベースに格納される日付及び時間とを、通信ネットワークを介して前記データベースに格納すること、並びに
前記サーバが、前記受領モードまたは前記消費モードで前記情報コードリーダに読取られた前記情報コードに紐づく前記地金の前記在庫及び前記消費済のステータス情報と、前記在庫及び前記消費済のステータス情報が前記データベースに格納される日付及び時間とを、通信ネットワークを介して前記データベースに格納すること
を含む物流管理システム。
（２）前記サーバが、前記データベースに格納された前記地金の前記在庫及び前記消費済のステータス情報と、前記在庫及び消費済のステータス情報が前記データベースに格納された日付及び時間とに基づいて、前記地金の在庫回転期間を集計する、上記（１）に記載の物流管理システム。
（３）前記サーバが、前記データベースに格納された前記地金の前記消費済のステータス情報と、前記消費済のステータス情報が前記データベースに格納された日付及び時間とに基づいて、前記地金の消費サイクルを集計する、上記（１）または（２）に記載の物流管理システム。
（４）前記管理情報が、前記地金が前記流通単位ごとに検量された検量データ、前記検量データを含む重量証明書、またはそれらの組み合わせをさらに含む、上記（１）〜（３）のいずれかに記載の物流管理システム。
（５）前記サーバが、前記データベースに格納された前記納入予定日と前記検量データとに基づいて、所定の期間に前記ユーザーに納入された前記地金の重量または納入予定の前記地金の重量を集計する、上記（４）に記載の物流管理システム。
（６）前記サーバが、前記データベースに格納された前記消費済のステータス情報と、前記消費済のステータス情報が前記データベースに格納された日付及び時間と、前記検量データとに基づいて、所定の期間に消費された前記地金の重量を集計する、上記（４）または（５）に記載の物流管理システム。
（７）前記サーバが、前記データベースに格納された前記在庫のステータス情報と、前記在庫のステータス情報が前記データベースに格納された日付及び時間と、前記検量データとに基づいて、所定の日時における前記地金の在庫量を集計する、上記（４）〜（６）のいずれかに記載の物流管理システム。
（８）前記サーバが、前記データベースに格納された前記在庫及び消費済のステータス情報と、前記在庫及び消費済のステータス情報が前記データベースに格納された日付及び時間と、前記検量データとに基づいて、所定の日時における前記地金の消費量に対する所定の日時における前記地金の在庫量の割合を集計する、上記（４）〜（７）のいずれかに記載の物流管理システム。
（９）前記サーバは、前記受領モードまたは前記消費モードで前記情報コードリーダに読取られた前記情報コードに紐づく前記地金の前記配送待及び前記配送手配済のステータス情報と、前記配送待及び前記配送手配済のステータス情報が前記データベースに格納される日付及び時間とを、通信ネットワークを介して前記データベースに格納することを含む、上記（１）〜（８）のいずれかに記載の物流管理システム。
（１０）前記管理情報が、前記地金の鋳造単位に付されるキャスト番号をさらに含む、上記（１）〜（９）のいずれかに記載の物流管理システム。
（１１）前記管理情報が、前記地金の生産工場を表すブランド名をさらに含む、上記（１）〜（１０）のいずれかに記載の物流管理システム。
（１２）前記管理情報が、前記地金の成分組成データをさらに含む、上記（１）〜（１１）のいずれかに記載の物流管理システム。
（１３）前記管理情報が、前記地金の納入明細情報をさらに含む、上記（１）〜（１２）のいずれかに記載の物流管理システム。
（１４）前記情報コードが、１次元コード、２次元コード、またはそれらの組み合わせである、上記（１）〜（１３）のいずれかに記載の物流管理システム。
【発明の効果】
【００１４】
本開示の物流管理システムによれば、地金の物流に関連する各社間をまたがった物流管理の非効率性、及び地金納入先のユーザーの工場若しくは工場内のラインにおける在庫管理の非効率性、またはユーザーの複数の工場間または工場内の複数のライン間にまたがった在庫管理の非効率性を解消することができる。
【図面の簡単な説明】
【００１５】
【図１】図１は、本開示の物流管理システムの一例を表す模式図である。
【図２】図２は、地金に貼付されたラベルの一例を表す模式図である。
【図３】図３は、地金に貼付されたラベルの他の例を表す模式図である。
【図４】図４は、情報コードリーダのログイン画面の一例を表す模式図である。
【図５】図５は、情報コードリーダのログイン後の情報コード読み取り画面の一例を表す模式図である。
【図６】図６は、情報コードリーダのログイン後の情報コード読み取り画面の一例を表す模式図である。
【図７】図７は、情報コードリーダの情報コード読み取り成功表示画面の一例を表す模式図である。
【図８】図８は、情報コードリーダの情報コード読み取り失敗表示画面の一例を表す模式図である。
【図９】図９は、本開示の物流管理システムの一実施形態の構成を表す模式図である。
【図１０】図１０は、一つの工場において２０１９年１２月１７日から２０２０年１月１４日までの地金の在庫回転期間を示すグラフである。
【図１１】図１１は、一つの工場において２０１９年１２月１６日から２０２０年１月１７日までの地金の消費サイクルを示すグラフである。
【図１２】図１２は、あるユーザーの３つの製造ラインにおける地金の在庫回転期間を比較するグラフである。
【図１３】図１３は、あるユーザーの３つの製造ラインにおける地金の消費サイクルを比較するグラフである。
【図１４】図１４は、１つの工場において２０１９年１２月１６日から２０２０年３月１５日までの地金の在庫量推移を示すグラフである。
【図１５】図１５は、１つの工場において２０１９年１２月１６日から２０２０年３月１５日までの地金の前日消費量に対する在庫量の割合（在庫量／前日消費量）の推移を示すグラフである。
【図１６】図１６は、あるユーザーの３つの工場において２０１９年１２月１６日から２０２０年３月１５日までの地金の前日消費量に対する在庫量の割合（在庫量／前日消費量）の推移を比較するグラフである。
【発明を実施するための形態】
【００１６】
本開示は、ユーザーに納入する地金のステータス情報及び管理情報を管理する物流管理システムであって、前記地金のステータス情報及び管理情報を格納するデータベースが接続され、前記データベースへの前記ステータス情報及び前記管理情報の書き込み及び読み出しが可能なサーバと、前記地金のステータス情報及び管理情報に紐付けられる情報コードが印刷されたラベルを作成するラベルプリンタと、前記地金に貼付された前記ラベルの情報コードを読み取り、前記情報コードに紐付けられる前記地金のステータス情報及び管理情報を発信する情報コードリーダと、を備え、前記管理情報には、前記地金の流通単位ごとに付される流通番号が含まれ、前記ステータス情報には、配送待、配送手配済、在庫、及び消費済のステータス情報が含まれ、前記配送待とは、前記地金の管理情報が前記データベースに最初に格納された状態であり、前記配送手配済とは、前記配送待の地金に対して、前記地金を納入するユーザー名及び前記ユーザーへの納入予定日が前記データベースに格納された状態であり、前記在庫とは、前記配送手配済の地金に対して、前記ユーザーが前記地金の受入確認をしたことが前記データベースに格納された状態であり、前記消費済とは、前記在庫の地金に対して、前記地金が消費された状態または消費されることが確定したことが前記データベースに格納された状態であり、前記情報コードリーダは、受領モードまたは消費モードに切り替え可能であり、前記サーバが、前記情報コードに紐づく前記地金の前記配送待及び前記配送手配済のステータス情報と、前記配送待及び前記配送手配済のステータス情報が前記データベースに格納される日付及び時間とを、通信ネットワークを介して前記データベースに格納すること、並びに前記サーバが、前記受領モードまたは前記消費モードで前記情報コードリーダに読取られた前記情報コードに紐づく前記地金の前記在庫及び前記消費済のステータス情報と、前記在庫及び前記消費済のステータス情報が前記データベースに格納される日付及び時間とを、通信ネットワークを介して前記データベースに格納することを含む物流管理システムを対象とする。
【００１７】
本開示の物流管理システムによれば、ユーザーに納入するまでの地金の物流を、通信ネットワークを介して一元管理して、地金の物流に関連する各社間をまたがった非効率性を解消することができる。
【００１８】
本開示の物流管理システムによればまた、地金の在庫及び消費のステータス情報を適時に更新及び確認することが可能となり、在庫管理を容易に行うことができるので、地金納入先であるユーザーの工場若しくは工場内のラインにおける在庫管理の非効率性、またはユーザーの複数の工場間または工場内の複数のライン間にまたがった非効率性を解消することができる。
【００１９】
本願において、ユーザーに納入するとは、配送される地金に対してユーザーでの受入確認が完了することを意味し、受入態様については特に限定されず、例えば、地金の置場渡し、置き場から運搬すること、置き場から搬入すること、車上渡し等を含む。本願明細書において、配送とは、輸送、運送等の地金をある場所から他の場所に移動させることを意味する。
【００２０】
地金は、好ましくは、金属地金である。金属地金は、より好ましくは、アルミ地金、錫地金、銅地金、亜鉛地金、鉛地金、金地金、銀地金、プラチナ地金、イリジウム地金、ルテニウム地金、ロジウム地金、パラジウム地金、ニッケル地金、または合金地金である。
【００２１】
図１に、本開示の物流管理システムの一例を表す模式図を示す。物流管理システム１０は、サーバ１、データベース２、ラベルプリンタ３、及び情報コードリーダ４を備える。データベース２には、地金のステータス情報及び管理情報が格納される。サーバ１はデータベース２に接続されている。データベース２は、サーバ１に内蔵されていてもよく、サーバ１の記憶部であってもよく、サーバ１と有線または無線で接続された別のサーバに内蔵されてもよく、インターネット等の通信ネットワークに接続された別のサーバまたはクラウドサーバ内に含まれてもよい。情報コードリーダ４は、サーバ１にインターネット等の通信ネットワークで接続される。ラベルプリンタ３は、サーバ１にインターネット等の通信ネットワークで接続されていてもよく、接続されていなくてもよい。
【００２２】
本開示の物流管理システムは、地金のステータス情報及び管理情報を格納するデータベースが接続され、データベースへのデータの書き込み及び読み出しが可能なサーバを備える。
【００２３】
サーバは、インターネット等の通信ネットワークに接続されてデータの送受信が可能な通信部、記憶部、及び処理部を備えており、データベースに接続されている。
【００２４】
記憶部には、ドライバプログラム、オペレーティングシステムプログラム、アプリケーションプログラム等のプログラムが記憶されている。記憶部には、送受信するステータス情報データ及び管理情報データが記憶されてもよい。
【００２５】
処理部は、一個または複数個のプロセッサ及びその周辺回路を有する。処理部は、サーバの全体的な動作を統括的に制御するものであり、例えば、ＣＰＵ（Central Processing Unit）である。処理部は、ステータス情報及び管理情報の送受信、ステータス情報及び管理情報のデータベースへの格納、データベースに格納されているステータス情報及び管理情報に基づき、各種集計が実行されるように、通信部、記憶部、及びデータベースの動作を制御することができる。
【００２６】
処理部は、記憶部に記憶されているプログラム（ドライバプログラム、オペレーティングシステムプログラム、アプリケーションプログラム等）に基づいて各種処理を実行する。また、処理部は、複数のプログラム（アプリケーションプログラム等）を並列に実行できる。データベースは、サーバの記憶部であってもよい。
【００２７】
本開示の物流管理システムは、地金のステータス情報及び管理情報に紐付ける情報コードが印刷されたラベルを作成するラベルプリンタを備える。
【００２８】
ラベルプリンタは、地金に貼り付けるラベルの印刷に用いられる。例えば、海外等の生産工場から港湾に到着する地金は、港湾に到着する前からまたは港湾に到着した後に地金の流通単位ごとにラベルが貼られ、その状態でユーザーに納入される。あるいは、国内生産工場から出荷される地金は、出荷される前からまたは出荷された後に流通単位ごとにラベルが貼られ、その状態でユーザーに納入される。
【００２９】
図２に、地金に貼付されたラベルの一例を表す模式図を示す。図２に示すラベル２０には、情報コード２１が印刷されている。ラベルには、情報コードに加えて、流通番号等が印刷されてもよい。ラベルは、裏側に接着剤が塗布された状態で、離型紙に貼り付けられたものであることができる。ラベルは、離型紙から１枚ずつ剥がして使用され得る。
【００３０】
図３に、地金に貼付されたラベルの他の例を表す模式図を示す。図３に示すように、ラベル３０には、情報コード３１に加えて、流通番号３２が表示されてもよい。ラベルには、他の管理情報等がさらに表示されてもよい。地金には、複数のラベルが貼り付けされてもよく、例えば、情報コードが表示されたラベルに加えて、管理番号が表示された別のラベルが貼り付けされてもよい。
【００３１】
本開示の物流管理システムは、地金に貼付されたラベルの情報コードを読み取り、情報コードに紐付けられる地金のステータス情報及び管理情報を発信する情報コードリーダを備える。
【００３２】
図４に、情報コードリーダのログイン画面の一例を表す模式図を示す。ログイン画面４０には、好ましくは、ユーザー名、ユーザーの工場名、またはユーザーの工場内のライン名の選択フォームまたは入力フォーム４１、パスワードの入力フォーム４２、及びサインイン等のログインボタン４３が含まれる。ログイン画面には、本開示の物流管理システムのロゴ４４が含まれてもよい。各種フォーム、ボタン、及びロゴの位置及び形状は、図４に表示の位置及び形状に限定されない。
【００３３】
図５及び図６に、情報コードリーダのログイン後の情報コード読み取り画面の一例を表す模式図を示す。情報コード読み取り画面５０には、好ましくは、情報コードの読み取りモードを受領モードまたは消費モードに切り替え可能なＲＥＣＥＩＶＥ（受領）タブ５１及びＵＳＥ（消費）タブ５２、ログアウトボタン５３、情報コード読み取り画面５４、並びにライト点灯ボタン５５が含まれ得る。各種タブ、各種ボタン、並びにカメラ画面の位置及び形状は、図５及び図６に表示の位置及び形状に限定されない。
【００３４】
受領モードは、地金が移動されたときに地金を受け入れる場合に用いられる。受領の用語は、入荷等の他の用語でもよい。消費モードは、地金を他の場所に移動するときまたは地金を消費するときに用いられる。他の場所に移動とは、ステータス情報の更新をともなう他の場所への移動だけでなく、ユーザーの工場内の移動、例えば、一つの工場から別の工場への移動、及び一つのラインから別のラインへの移動も含まれる。消費の用語は、使用等の他の用語でもよい。
【００３５】
情報コードリーダを受領モードにするには、図５に示すように、ＲＥＣＥＩＶＥ（受領）タブ５１を押下する。情報コードリーダを消費モードにするには、図６に示すように、ＵＳＥ（消費）タブ５２を押下する。図５及び図６に示す情報コード読み取り画面５４は、ＱＲコード（登録商標）５６を読み取る態様の一例である。情報コードリーダは、情報コード読み取り画面で読み取る情報コードを選択するボタンを備えてもよく、情報コード読み取り画面で読み取る情報コードを自動識別してもよい。
【００３６】
情報コードの読み取りが成功すると、情報コードに紐づく地金の在庫または消費済のステータス情報が、通信ネットワークを介してデータベースに格納される。
【００３７】
また、情報コードの読み取りが成功すると、読み取りが成功したことを示す成功表示画面に遷移する。図７は、情報コードリーダの情報コード読み取り成功表示画面の一例を表す模式図である。成功表示画面７０には、好ましくは、読み取りが成功したことを示す成功表示部７１及びＯＫボタン７２が含まれる。成功表示部７１には、ステータス情報が、通信ネットワークを介してサーバに送信されたこと、データベースに格納されたこと、それらが成功したこと等を意味する表示が示され得る。成功表示画面７０に遷移した場合は、ＯＫボタン７２を押下することにより、情報コード読み取り画面５０に遷移する。ＯＫボタンは、情報コード読み取り画面５０に遷移するためのボタンであればよく、他の表示でもよい。成功表示部及びＯＫボタンの位置及び形状は、図７に表示の位置及び形状に限定されない。
【００３８】
情報コードの読み取りに失敗すると、読み取りが失敗したことを示す失敗表示画面に遷移する。図８は、情報コードリーダの情報コード読み取り失敗表示画面の一例を表す模式図である。失敗表示画面８０には、好ましくは、読み取りが失敗したことを示す失敗表示部８１及びＯＫボタン８２が含まれる。失敗表示部８１には、ステータス情報が、通信ネットワークを介してサーバに送信されなかったこと、データベースに格納されなかったこと、それらが失敗したこと等を意味する表示が示され得る。失敗表示画面８０に遷移した場合は、ＯＫボタン８２を押下することにより、情報コード読み取り画面５０に遷移する。ＯＫボタンは、情報コード読み取り画面５０に遷移するためのボタンであればよく、他の表示でもよい。失敗表示部及びＯＫボタンの位置及び形状は、図８に表示の位置及び形状に限定されない。
【００３９】
情報コードの読み取りが成功したとき、好ましくは、情報コードリーダから、読み取りが成功したことを知らせるバイブレーション、読取音、またはそれらの組み合わせが発生する。
【００４０】
情報コードを読み取る際に情報コードを読み取るための照度が不足しているとき、好ましくはライト点灯ボタン５５をタップすることにより、より好ましくは情報コードリーダが備える照度計測装置による自動測定により、情報コードリーダが備えるライトが点灯し、情報コードを読み取るための照度を高くする。
【００４１】
情報コードリーダは、使用者の指、タッチペン、または音声による操作が可能であり、好ましくはタッチペンまたは音声による操作が可能である。
【００４２】
情報コードリーダは、読み取った画像を処理する画像処理部と、そのデータを解析するデータ解析部、情報コードリーダ全体を制御する制御部、データを送受信する通信処理部を主な構成部とする。通信処理部より送信された読み取りデータは、基地局を経由し、インターネット等のネットワーク回線を介してサーバに送られる。サーバに送られデータベースに格納されたデータは、インターネット等のネットワーク回線を介してコンピュータ等の端末装置で閲覧することができ、好ましくは情報コードリーダで閲覧することができる。
【００４３】
ステータス情報は、好ましくは、情報コードが情報コードリーダで読取られたときの地金の所在地をさらに含む。地金の所在地には、好ましくは、ユーザーの工場の名称または番号及びユーザーの工場内のラインの名称または番号が含まれる。
【００４４】
ステータス情報が在庫の地金を、ユーザーの工場間やライン間で移動する際に地金に貼られた情報コードを情報コードリーダで読み取った場合、ステータス情報は在庫のままで変更されないが、地金の所在地が更新されてもよい。好ましくは、最初に在庫に更新された日時はデータベースに格納されたままであり、より好ましくは、地金のステータス情報が最初に在庫に更新された日時及び時間と、工場間やライン間で移動した日時及び時間とがデータベースに格納される。
【００４５】
情報コードリーダは、受領モードまたは消費モードに切り替え可能であり、地金に貼り付けられた情報コードを読み取り情報コードに紐づく地金の在庫及び消費済のステータス情報を、インターネット等の通信ネットワークを介してデータベースに格納することができるものであれば特に限定されない。情報コードリーダは、情報コードを読み取るカメラを備えたパソコンまたは情報通信端末装置が挙げられ、好ましくはカメラ機能を有するスマートフォンまたはタブレットが用いられる。スマートフォンまたはタブレットのカメラ機能を用いて、情報コードを読み取ることができる。
【００４６】
管理情報には、地金の流通単位に付される流通番号が含まれる。流通番号は、地金の生産者が流通単位に付した番号、港湾受入業者が港湾に到着した地金を流通単位ごとに付した番号、または配送業者、倉庫業者、検量業者、商社等が、工場から出荷された後に地金の流通単位ごとに付した番号であることができる。港湾受入業者は、港湾に到着した地金を受け入れる業者であれば特に限定されないが、検量業者、配送業者、倉庫業者、商社等であることができる。
【００４７】
地金の流通単位とは、地金が生産工場から出荷された後または地金が港湾に到着した後、ユーザーに納入されるまでの地金の流通単位である。地金が１つのインゴットで流通される場合は、地金の流通単位は１つのインゴットであり、地金が２以上のインゴットで流通される場合は、地金の流通単位は２以上のインゴットである。地金が２以上のインゴットで流通される場合、地金の流通番号は、好ましくは、２以上のインゴットを束ねるバンドル単位に付されるバンドル番号である。
【００４８】
ステータス情報には、配送待、配送手配済、在庫、及び消費済のステータス情報が含まれる。ラベルに表示された情報コードに紐付けられて配送待、配送手配済、在庫、及び消費済のステータス情報が通信ネットワークを介して送信されると、サーバは、配送待、配送手配済、在庫、及び消費済のステータス情報がデータベースに格納される日付及び時間をデータベースに格納する。データベースに格納される日付及び時間は、ステータス情報がデータベースに登録される日付及び時間、またはステータス情報が通信ネットワークを介して送信される日付及び時間であることができる。
【００４９】
サーバは、データベースに格納された配送待、配送手配済、在庫、及び消費済のステータス情報のうち、どのステータス情報の日付及び時間を参照可能に表示するか、どのステータス情報の日付及び時間を参照できないように非表示にするかを設定することができる。サーバは、データベースに格納された日付及び時間のうち、両方または一方を参照可能に表示または参照できないように非表示にすることができる。サーバは、好ましくは、少なくとも在庫及び消費済のステータス情報がデータベースに格納された日付及び時間を参照可能に表示する。サーバによる表示内容は、サーバに通信ネットワークを介して接続される各端末で参照することができる。
【００５０】
配送待とは、地金の管理情報がデータベースに最初に格納された状態をいう。例えば、地金が港湾に到着したことが港湾受入業者によって確認されると、通信ネットワークを介してサーバに地金の流通番号を含む管理情報が送信され、サーバは地金の管理情報をデータベースに格納する。あるいは、地金の生産工場から地金が出荷されることが、配送業者、倉庫業者、検量業者、商社等によって確認されると、通信ネットワークを介してサーバに地金の流通番号を含む管理情報が送信され、サーバは地金の管理情報をデータベースに格納する。
【００５１】
ステータス情報が配送待に登録されると、ステータス情報を配送手配済に更新可能な状態になる。
【００５２】
配送手配済とは、ステータス情報が配送待の地金に対して、地金を納入するユーザー名及びユーザーへの納入予定日がデータベースに格納された状態をいう。例えば、配送業者、倉庫業者、検量業者、商社等によって、ステータス情報が配送待に登録されたことを確認されると、通信ネットワークを介してサーバに地金を納入するユーザー名及びユーザーへの納入予定日が送信され、データベースに格納される。
【００５３】
ステータス情報が配送手配済に更新されると、ステータス情報を在庫に更新可能な状態になる。
【００５４】
在庫とは、ステータス情報が配送手配済の地金に対して、ユーザーが地金の受入確認をしたことがデータベースに格納された状態をいう。受入確認したこととは、ユーザーが配送されてきた地金を受け入れることを確認または受け入れたことを確認した状態をいう。
【００５５】
地金の在庫のステータス情報には、好ましくは、ユーザーの工場の情報、工場内のラインの情報、またはそれらの組み合わせが含まれる。
【００５６】
ステータス情報が在庫に更新されると、ステータス情報を消費済に更新可能な状態になる。
【００５７】
消費済とは、ステータス情報が在庫の地金に対して、地金が消費された状態または消費されることが確定したことがデータベースに格納された状態をいう。地金の消費とは、仕掛品に加工するために地金を使用することを意味し、例えば地金を炉に投入すること等が挙げられる。
【００５８】
地金の消費済のステータス情報には、好ましくは、ユーザーの工場の情報、工場内のラインの情報、またはそれらの組み合わせが含まれる。
【００５９】
在庫及び消費済のステータス情報に含まれるユーザーの工場の情報には、例えば、ユーザー名、工場名、工場の所在地等が含まれる。在庫及び消費済のステータス情報に含まれる工場内のラインの情報には、例えば、ユーザー名、工場名、工場の所在地、工場内のラインを識別する名称、番号等が含まれる。
【００６０】
ステータス情報には、好ましくは、配送手配済と在庫との間に、配送中のステータス情報が含まれる。ラベルに表示された情報コードに紐付けられて配送中のステータス情報が通信ネットワークを介して送信されると、サーバは、配送中のステータス情報がデータベースに格納される日付及び時間をデータベースに格納することができる。
【００６１】
配送中とは、ステータス情報が配送手配済の地金に対して、地金を納入するユーザー名及びユーザーへの納入予定日が確認されたことがデータベースに格納された状態をいう。地金を納入するユーザー名及びユーザーへの納入予定日の確認は、配送業者、倉庫業者、検量業者、商社等によって行われ得る。
【００６２】
ステータス情報が配送中に更新されると、ステータス情報を在庫に更新可能な状態になる。
【００６３】
ステータス情報には、好ましくは、配送手配済と在庫との間に、未入庫在庫のステータス情報が含まれる。ラベルに表示された情報コードに紐付けられて未入庫在庫のステータス情報が通信ネットワークを介して送信されると、サーバは、未入庫在庫のステータス情報がデータベースに格納される日付及び時間をデータベースに格納することができる。
【００６４】
未入庫在庫とは、ステータス情報が配送手配済の地金に対して、地金を納入するユーザー名及びユーザーへの納入予定日を含む配送手配済のステータス情報が確認されたことがデータベースに格納された状態をいう。地金を納入するユーザー名及びユーザーへの納入予定日を含む配送手配済のステータス情報の確認は、ユーザーによって行われ得る。
【００６５】
ステータス情報が未入庫在庫に更新されると、ステータス情報を在庫に更新可能な状態になる。
【００６６】
ステータス情報には、好ましくは、配送手配済と在庫との間に、配送中及び未入庫在庫のステータス情報が含まれる。ラベルに表示された情報コードに紐付けられて配送中及び未入庫在庫のステータス情報が通信ネットワークを介して送信されると、サーバは、配送中及び未入庫在庫のステータス情報がデータベースに格納される日付及び時間をデータベースに格納することができる。
【００６７】
ステータス情報が、配送手配済と在庫との間に、配送中及び未入庫在庫のステータス情報を含む場合、配送中とは、ステータス情報が配送手配済の地金に対して、地金を納入するユーザー名及びユーザーへの納入予定日が確認されたことがデータベースに格納された状態をいう。地金を納入するユーザー名及びユーザーへの納入予定日の確認は、配送業者、倉庫業者、検量業者、商社等によって行われ得る。
【００６８】
ステータス情報が、配送手配済と在庫との間に、配送中及び未入庫在庫のステータス情報を含む場合、未入庫在庫とは、ステータス情報が配送中の地金に対して、地金を納入するユーザー名及びユーザーへの納入予定日を含む配送中のステータス情報が確認されたことがデータベースに格納された状態をいう。地金を納入するユーザー名及びユーザーへの納入予定日の確認は、ユーザーによって行われ得る。
【００６９】
ステータス情報が配送中に更新されると、ステータス情報を未入庫在庫に更新可能な状態になり、ステータス情報が未入庫在庫に更新されると、ステータス情報を在庫に更新可能な状態になる。
【００７０】
図９に、本開示の物流管理システムの一実施形態の構成を表す模式図を示す。図９に示す物流管理システムでは、地金の生産工場、商社等の販売業者、港湾受入業者、配送業者、及び地金のユーザーが、コンピュータ等の端末機器が接続された通信ネットワークを介してサーバに接続されている。点線矢印は地金の流れを示している。実線は、情報コードに紐付けられる地金のステータス情報及び管理情報の流れを示している。サーバはデータベースに接続されている。
【００７１】
本開示の物流管理システムで地金を流通する業者は図９に示す上記業者に限られず、上記業者の一部であってもよい。例えば、本開示の物流管理システムの他の実施形態では、地金生産工場が国内にあり、港湾受入業者が含まれなくてもよい。本開示の物流管理システムには、海運業者、港湾業者、倉庫業者等の他の業者がさらに含まれてコンピュータ等の端末機器が接続された通信ネットワークを介してサーバに接続されてもよい。例えば、本開示の物流管理システムにおいては、配送業者の前及び／または後に、倉庫業者が介在してもよい。通信ネットワークは有線または無線の何れでもよく、専用回線または商用回線の何れでもよい。
【００７２】
サーバは、好ましくは、データベースに格納された地金の在庫及び消費済のステータス情報と、在庫及び消費済のステータス情報がデータベースに格納された日付及び時間とに基づいて、地金の在庫回転期間を集計する。
【００７３】
本願において、在庫回転期間とは、データベース内の地金のステータス情報が在庫に更新されてからステータス情報が消費済に更新されるまでにかかる期間をいう。在庫回転期間が短いほど、地金が工場に納入されてから消費されるまでのスピードが早いことを意味し、好ましい。
【００７４】
図１０に、１つの工場において２０１９年１２月１７日から２０２０年１月１４日までの１４４ロットの地金の在庫回転期間を示すグラフを示す。図１０におけるロット数とは、地金の流通番号単位のロット数であり、より具体的には地金のバンドルごとに付されたバンドル番号単位のバンドル数である。図１０においては、地金のステータス情報が在庫に更新されてから消費済に更新されるまでの期間を０．５日単位で区分して示す。図１０の横軸は、在庫回転期間（０．５日単位）であり、縦軸は地金のロット数（バンドル数）である。
【００７５】
図１０から、工場に納入した地金のうち、バンドル番号単位で７９％の地金の在庫回転期間が３．０日以内であることが分かる。一方で、１１％の地金の在庫回転期間が１３．０日以上であり、最大２６．５〜２７．０日であることが分かる。
【００７６】
このように、データベースに格納された地金の在庫及び消費済のステータス情報と、在庫及び消費済のステータス情報がデータベースに格納された日付及び時間とに基づいて、地金の在庫回転期間を集計することにより、在庫回転期間の分析を容易にして、在庫回転期間が長かった原因を調査し、在庫回転期間の短縮化による経営の改善を行うことができる。
【００７７】
サーバは、より好ましくは、データベースに格納された地金の在庫及び消費済のステータス情報と、在庫及び消費済のステータス情報がデータベースに格納された日付及び時間とに基づいて、複数の工場または複数のラインの地金の在庫回転期間を集計する。
【００７８】
図１２に、あるユーザーの３つの製造ライン（製造ラインＡ、製造ラインＢ、製造ラインＣ）における地金の在庫回転期間の比較を示す。図１２の横軸は、在庫回転期間（時間、１２時間単位）であり、縦軸は各ラインにおける対象期間の全ロット数（流通番号単位）に対する各区間に含まれるロット数の頻度（％）である。図１２における流通番号単位とは、地金のバンドルごとに付されたバンドル番号単位である。このように複数の工場間または複数のライン間で在庫回転期間を比較することができる。
【００７９】
サーバは、より好ましくは、集計した在庫回転期間に基づいて、所定期間以上の在庫回転期間を示す地金の流通番号を表示する。サーバは、さらに好ましくは、集計した在庫回転期間に基づいて、所定期間以上の在庫回転期間を示す地金の流通番号と在庫回転期間とを関連付けて表示する。サーバは、さらにより好ましくは、集計した在庫回転期間に基づいて、所定期間以上の在庫回転期間を示す地金の流通番号と、在庫回転期間と、ステータス情報が在庫または消費済に更新された日付または日時とを関連付けて表示する。所定期間は、所望の期間を設定することができる。
【００８０】
このように、本開示の物流管理システムによれば、過去から現在にいたるまでの地金のステータス情報及び管理情報の入力及び出力、並びにその集計が可能なので、地金の過去から現在に至るまでの時間と場所の流通動線、在庫、及び消費の状況を明確に把握することができる。
【００８１】
本開示の物流管理システムによればまた、過去から現在にいたるまでの地金のステータス情報及び管理情報の入力及び出力、並びにその集計が可能なので、過去から現在までの情報に基づいて、未来の在庫及び消費のバランスの予測にも活用することができ、継続的な業務改革促進が期待される。
【００８２】
サーバは、好ましくは、データベースに格納された地金の消費済のステータス情報と、消費済のステータス情報がデータベースに格納された日付及び時間とに基づいて、地金の消費サイクルを集計する。
【００８３】
本願において、消費サイクルとは、特定の工場または工場内の特定のラインにおいて、データベース内の地金のステータス情報が消費済に更新されてから次の地金のステータス情報が消費済に更新されるまでの期間を意味する。消費サイクルが短いほど、特定の工場または工場内の特定のラインの稼働率が高いことを意味し、好ましい。
【００８４】
図１１に、１つの工場において２０１９年１２月１６日から２０２０年３月１５日までの地金の消費サイクルを示すグラフを示す。図１１においては、地金の流通番号単位で、地金のステータス情報が消費済に更新されてから次の地金のステータス情報が消費済に更新されるまでの消費サイクルを示す。図１１における流通番号単位とは、地金のバンドルごとに付されたバンドル番号単位である。図１１の横軸は、ステータス情報が消費済に更新された日付であり、縦軸は消費サイクル（日）である。各日付けにおいて消費済に更新されたバンドル番号単位のロット数は異なる。図１１の横軸においては、見やすくするために間引きして日付の一部だけを表示しているが、日時まで細かく表示することができ、以下の図において同様である。消費サイクルを表すグラフの横軸は、地金の流通番号、バンドル番号、またはそれらに紐付けられるロット番号でもよい。
【００８５】
図１１から、一つの工場において、バンドル番号単位で８４％の地金の消費サイクルが０．３日以内であり、９５％の地金の消費サイクルが０．５日以内であることが分かる。一方で、バンドル番号単位で１６％の地金の消費サイクルが０．３日超であり、５％の地金の消費サイクルが０．５日超であり、最大１．５日であることが分かる。
【００８６】
このように、データベースに格納された地金の消費済のステータス情報と、消費済のステータス情報がデータベースに格納された日付及び時間とに基づいて、地金の消費サイクルを集計することにより、消費サイクルの分析を容易にし、消費サイクルが長かった地金の原因を調査して、消費サイクルの短縮化による経営の改善を行うことができる。
【００８７】
サーバは、より好ましくは、データベースに格納された地金の消費済のステータス情報と、消費済のステータス情報がデータベースに格納された日付及び時間とに基づいて、複数の工場または複数のラインの地金の消費サイクルを集計する。
【００８８】
図１３に、あるユーザーの３つの製造ライン（製造ラインＤ、製造ラインＥ、製造ラインＦ）における地金の消費サイクルの比較を示す。図１３における消費サイクルとは、各ラインにおいて、地金の流通番号単位で地金のステータス情報が消費済に更新されてから次の地金のステータス情報が消費済に更新されるまでの消費サイクルをいう。図１３における流通番号単位とは、地金のバンドルごとに付されたバンドル番号単位である。図１３の横軸は、ステータス情報が消費済に更新された日付であり、縦軸は消費サイクル（日）である。消費サイクルを表すグラフの横軸は、地金の流通番号、バンドル番号、またはそれらに紐付けられるロット番号でもよい。このように複数の工場間または複数のライン間で消費サイクルを比較することができる。
【００８９】
サーバは、より好ましくは、集計した消費サイクルに基づいて、所定期間以上の消費サイクルを示す地金の流通番号を表示する。サーバは、さらに好ましくは、集計した消費サイクルに基づいて、所定期間以上の消費サイクルを示す地金の流通番号と消費サイクルとを関連付けて表示する。サーバは、さらにより好ましくは、集計した消費サイクルに基づいて、所定期間以上の消費サイクルを示す地金の流通番号と、消費サイクルと、ステータス情報が消費済に更新された日付または日時とを関連付けて表示する。所定期間は、所望の期間を設定することができる。
【００９０】
管理情報は、好ましくは、地金が流通単位ごとに検量された検量データ、検量データを含む重量証明書、またはそれらの組み合わせをさらに含む。
【００９１】
これにより、従来、物流に関連する各社間で、各種書類を紙媒体で保存またはスキャンして個別に保管せざるを得なかった地金の流通単位ごとの検量データ、検量データを含む重量証明書、またはそれらの組み合わせを、流通番号単位で容易に確認することができる。
【００９２】
より好ましくは、生産工場から出荷される地金または港湾に到着した地金は、生産工場から出荷される前または港湾から配送される前に流通単位で検量され、検量データが流通番号に紐付けられて通信ネットワークを介してデータベース（本データベースともいう）に格納される。検量データは、さらに好ましくは、流通番号に紐付けられて、検量器に接続された通信ネットワークを介してサーバに送信され、サーバはデータベースに検量データを格納する。
【００９３】
検量データは、本データベースに直接格納されてもよく、別のデータベースに検量データを一旦格納し、次いで、別のデータベースから、通信ネットワークを介して本データベースに格納されてもよい。
【００９４】
さらにより好ましくは、検量の際に、流通番号と検量データとを含む管理情報に紐付けられる情報コードが印刷されたラベルを地金に貼付する。
【００９５】
サーバは、好ましくは、データベースに格納された納入予定日と検量データとに基づいて、所定の期間にユーザーに納入された地金の重量または納入予定の地金の重量を集計する。これにより、ユーザーは、納入された地金の重量または納入予定の地金の重量の把握が容易になり、地金の在庫管理をタイムリーに行うことができる。
【００９６】
サーバは、好ましくは、データベースに格納された消費済のステータス情報と、消費済のステータス情報がデータベースに格納された日付及び時間と、検量データとに基づいて、所定の期間に消費された地金の重量を集計する。これにより、ユーザーは、消費された地金の重量の把握が容易になり、地金の在庫管理をタイムリーに行うことができる
【００９７】
サーバは、好ましくは、データベースに格納された在庫のステータス情報と、在庫のステータス情報がデータベースに格納された日付及び時間と、検量データとに基づいて、所定の日時における地金の在庫量を集計する。これにより、ユーザーは、所定の日時における地金の在庫量をいつでも集計することができ、地金の在庫管理をタイムリーに行うことができる。
【００９８】
図１４に、１つの工場において２０１９年１２月１６日から２０２０年３月１５日までの午後８時における地金の在庫量推移を示すグラフを示す。図１４の横軸は日付であり、縦軸は当該日付の午後８時における地金の在庫量（ｋｇ）である。
【００９９】
サーバは、好ましくは、データベースに格納された在庫及び消費済のステータス情報と、在庫及び消費済のステータス情報がデータベースに格納された日付及び時間と、検量データとに基づいて、所定の日時における地金の消費量に対する所定の日時における地金の在庫量の割合（在庫量／消費量）を集計する。消費量は好ましくは前日の消費量であり、より好ましくは前日の同時刻の消費量である。これにより、ユーザーは、所定の日時における地金の在庫量と所定の日時における地金の消費量のバランスをいつでも集計することができ、地金の在庫管理をタイムリーに行うことができる。
【０１００】
図１５に、１つの工場において２０１９年１２月１６日から２０２０年３月１５日までの午後８時における地金の前日消費量に対する在庫量の割合（在庫量／前日消費量）の推移を示すグラフを示す。図１５の横軸は日付であり、縦軸は当該日付の午後８時における地金の在庫量／前日消費量の割合である。
【０１０１】
サーバは、好ましくは、データベースに格納された在庫及び消費のステータス情報と、在庫及び消費済のステータス情報がデータベースに格納された日付及び時間と、検量データとに基づいて、複数の工場または複数のラインの、所定の日時における地金の消費量に対する所定の日時における在庫量の割合（在庫量／消費量）を集計する。消費量は好ましくは前日の消費量であり、より好ましくは前日の同時刻の消費量である。これにより、ユーザーは、複数の工場または複数のラインの、所定の日時における地金の在庫量と所定の日時における地金の消費量のバランスをいつでも集計することができ、地金の在庫管理をタイムリーに行うことができる。
【０１０２】
図１６に、３つの工場において２０１９年１２月１６日から２０２０年３月１５日までの午後８時における地金の前日消費量に対する在庫量の割合（在庫量／前日消費量）の推移を比較するグラフを示す。図１６の横軸は、日付であり、縦軸は当該日付の午後８時における地金の在庫量／前日消費量の割合である。このように複数の工場間または複数のライン間で在庫量／前日消費量の割合を比較することができる。
【０１０３】
サーバによる上記集計データはいずれも、任意の形式であることができ、例えばＣＳＶ形式、グラフ形式等であることができ、集計データを出力することができる。
【０１０４】
サーバは、好ましくは、受領モードまたは消費モードで情報コードリーダに読取られた情報コードに紐づく地金の配送待及び配送手配済のステータス情報と、配送待及び配送手配済のステータス情報がデータベースに格納される日付及び時間とを、通信ネットワークを介して前記データベースに格納する。
【０１０５】
在庫及び消費済のステータス情報の更新に加えて、配送待及び配送手配済のステータス情報についても、受領モード及び消費モードに切り替え可能な情報コードリーダを用いて通信ネットワークを介してデータベースに格納することにより、現場から、より迅速にリアルタイムでステータス情報の登録または更新を行うことができ、地金の物流管理をよりタイムリーに行うことができる。
【０１０６】
サーバは、好ましくは、受領モードまたは消費モードで情報コードリーダに読取られた情報コードに紐づく地金の配送中及び未入庫在庫のステータス情報と、配送中及び未入庫在庫のステータス情報がデータベースに格納される日付及び時間とを、通信ネットワークを介して前記データベースに格納する。
【０１０７】
配送中及び未入庫在庫のステータス情報についても、受領モード及び消費モードに切り替え可能な情報コードリーダを用いて通信ネットワークを介してデータベースに格納することにより、現場から、より迅速にリアルタイムでステータス情報の登録または更新を行うことができ、地金の物流管理をよりタイムリーに行うことができる。
【０１０８】
管理情報には、好ましくは、地金の鋳造単位に付されるキャスト番号がさらに含まれる。地金の成分組成は地金の鋳造単位で測定されるので、管理情報にキャスト番号が含まれることにより、地金の成分組成を把握しやすくなる。
【０１０９】
管理情報には、好ましくは、地金の生産工場を表すブランド名がさらに含まれる。管理情報にブランド名が含まれることにより、地金の生産者や生産工場を把握しやすくなる。
【０１１０】
管理情報は、好ましくは、地金の成分組成データをさらに含む。成分組成データは、ミルシートでもよい。これにより、流通番号に紐付けられた地金の成分組成を直接的に把握することができる。
【０１１１】
管理情報は、好ましくは、流通番号及びキャスト番号を含む管理情報に紐付けられた成分組成データを含む。工場から地金が出荷される準備が整うと、工場から地金が出荷されると、または港湾に地金が到着すると、地金の成分組成データ及び／またはミルシートが、流通番号及びキャスト番号を含む管理情報に紐付けられて、通信ネットワークを介してデータベースに格納され得る。
【０１１２】
ミルシートは、より好ましくは、検量データをデータベースに格納する際に、流通番号及びキャスト番号を含む管理情報に紐付けられて、データベースに格納される。ミルシートは、海外の地金生産者が通信ネットワークを介してデータベースに格納してもよく、海外の地金生産者からミルシートを受け取った検量業者等が、通信ネットワークを介してデータベースに格納してもよい。
【０１１３】
管理情報は、好ましくは、地金の納入明細情報をさらに含む。納入明細情報は、ユーザーへの地金の納入予定日よりも前、好ましくは１〜３営業日前に、データベースに格納される。
【０１１４】
ユーザーからの依頼に基づいて地金の生産者に地金を発注する会社、例えば商社が、配送業者また、倉庫業者等から通信ネットワークを介して配信される納入明細書に基づいて、納入明細情報をデータベースに格納してもよい。本システムは、ユーザーが商社を介さずに地金を生産工場に直接発注する場合にも適用可能である。
【０１１５】
情報コードは、好ましくは、１次元コード、２次元コード、またはそれらの組み合わせである。
【０１１６】
１次元コードは、好ましくは、ＣＯＤＥ３９、ＣＯＤＥ１２８、ＪＡＮ、ＥＡＮ、ＵＰＣ、ＮＷ−７、ＩＴＦ、またはそれらの組み合わせのバーコードである。
【０１１７】
２次元コードは、好ましくは、マトリックスコードまたはスタックコードである。
【０１１８】
マトリックスコードは、好ましくは、ＱＲコード（登録商標）、マイクロＱＲコード（登録商標）、ＳＰコード、ベリコード（ＶｅｒｉＣｏｄｅ）、マキシコード（ＭａｘｉＣｏｄｅ）、ＣＰコード、データマトリックス（ＤａｔａＭａｔｒｉｘ）、ＤａｔａＭａｔｒｉｘ  ＥＣＣ２００、Ｃｏｄｅ１、ＡｚｔｅｃＣｏｄｅ、インタクタコード、カードｅ、またはカメレオン・コードである。
【０１１９】
スタックコードは、好ましくは、ＰＤＦ４１７、マイクロＰＤＦ４１７、Ｃｏｄｅ４９、Ｃｏｄｅ１６Ｋ、Ｃｏｄａｂｌｏｃｋ、ＳｕｐｅｒＣｏｄｅ、Ｕｌｔｒａ  Ｃｏｄｅ、ＲＳＳ  Ｃｏｍｐｏｓｉｔｅ、またはＡｚｔｅｃＭｅｓａである。
【符号の説明】
【０１２０】
１０    物流管理システム
１    サーバ
２    データベース
３    ラベルプリンタ
４    情報コードリーダ
２０    ラベル
２１    情報コード
３０    ラベル
３１    情報コード
３２    流通番号
４０    ログイン画面
４１    ユーザー名、ユーザーの工場名、またはユーザーの工場内のライン名の選択フォームまたは入力フォーム
４２    パスワードの入力フォーム
４３    ログインボタン
５０    情報コード読み取り画面
５１    ＲＥＣＥＩＶＥ（受領）タブ
５２    ＵＳＥ（消費）タブ
５３    ログアウトボタン
５４    情報コード読み取り画面
５５    ライト点灯ボタン
５６    ＱＲコード（登録商標）
７０    成功表示画面
７１    成功表示部
７２    ＯＫボタン
８０    失敗表示画面
８１    失敗表示部
８２    ＯＫボタン
【要約】
【課題】地金の物流管理の非効率性及びユーザーの工場等における在庫管理の非効率性を解消し得る物流管理システムを提供する。
【解決手段】ユーザーに納入する地金のステータス情報を管理する物流管理システムであって、ステータス情報及び管理情報を格納するデータベースに接続されたサーバと、ステータス情報及び管理情報に紐付く情報コードが印刷されたラベルを作成するラベルプリンタと、地金に貼付されたラベルの情報コードを読取りステータス情報及び管理情報を発信する情報コードリーダとを備え、サーバが、受領モードまたは消費モードに切替可能な情報コードリーダに読取られた情報コードに紐づく在庫及び消費済のステータス情報と、ステータス情報がデータベースに格納された日付及び時間とを、通信ネットワークを介してデータベースに格納することを含む物流管理システム。
【選択図】図５【図１】
0006731565.tif 000002
【図２】
0006731565.tif 000003
【図３】
0006731565.tif 000004
【図４】
0006731565.tif 000005
【図５】
0006731565.tif 000006
【図６】
0006731565.tif 000007
【図７】
0006731565.tif 000008
【図８】
0006731565.tif 000009
【図９】
0006731565.tif 000010
【図１０】
0006731565.tif 000011
【図１１】
0006731565.tif 000012
【図１２】
0006731565.tif 000013
【図１３】
0006731565.tif 000014
【図１４】
0006731565.tif 000015
【図１５】
0006731565.tif 000016
【図１６】
0006731565.tif 000017